(57)【特許請求の範囲】
【請求項１】
スタンバイ端子の電位に基づいて、オーディオ信号を最終出力するスピーカ増幅回路の動作／非動作を制御するオーディオ信号処理回路において、
エミッタが接地され、コレクタが前記スタンバイ端子に接続されたトランジスタと、
前記スタンバイ端子に接続され、電源オフ時に、前記スタンバイ端子をハイインピーダンスとする第１のノイズ除去手段と、
前記スタンバイ端子に接続され、前記第１のノイズ除去手段によりハイインピーダンスとした前記スタンバイ端子を強制的に接地電位とする第２のノイズ除去手段とを具備し、
前記第１のノイズ除去手段は、電源オフ時の過渡応答時に、他の内部素子と同じタイミングでオフ状態となる電流源であり、
前記第２のノイズ除去手段は、コレクタが第１抵抗を介して前記スタンバイ端子に接続され、エミッタが接地されている第１トランジスタと、コレクタが第２抵抗により電源電圧にプルアップされて第１トランジスタのベースに接続され、エミッタが接地されている第２トランジスタと、電源電圧−接地電圧間に直列接続された第３抵抗、前記ダイオード及び第４抵抗とを備え、ダイオードと第４抵抗との間に第２トランジスタのベースが接続されており、電源オン時には、前記スタンバイ端子に対してハイインピーダンスとなり、電源オフ時の過渡応答時に、他の内部素子がオフ状態となるタイミングと異なるタイミングで第１トランジスタをオン状態にするオーディオ信号処理回路。
【発明の詳細な説明】
【０００１】
【発明の属する技術分野】
本発明は、カムコーダ等に係り、制御信号を複数のオーディオ信号処理ＩＣ間で通信して所定のＩＣの動作を制御する機能を有するオーディオ信号処理回路に関する。
【０００２】
【従来の技術】
従来、カムコーダ等においては、複数個のオーディオ信号処理ＩＣを用いたオーディオ信号処理回路が用いられている。該オーディオ信号処理回路では、外部からの制御信号をオーディオ信号処理ＩＣ間で通信することにより、所定のＩＣの動作を制御している。以下、カムコーダにおいて通信制御を行っているオーディオ信号処理ＩＣとスピーカアンプＩＣとを一例として説明する。カムコーダでは、スピーカを用いないとき、カムコーダの消費電力を下げるため、スピーカパワーセーブという機能がある。図２に示すように、外部からの通信信号Ｓをオーディオ信号処理ＩＣ１で受けて、スピーカアンプＩＣ２に通信信号Ｓを送り、スピーカアンプＩＣ２の電力を制御している。
【０００３】
図２に示すオーディオ信号処理ＩＣとスピーカアンプＩＣとにおいて、通信信号Ｓを送受信するインターフェース部を回路図で示すと、図３に示すような回路構成となる。図３において、電源がオン状態のとき、外部から「スピーカアンプ動作」という通信信号Ｓが供給されると、オーディオ信号処理ＩＣ１では、その通信信号Ｓを受けて、電流Ｉ１が流れ、定電流Ｉ２が全部吸い取る（条件：電流Ｉ１＞電流Ｉ２）。ゆえに、定電流Ｉ２は、トランジスタＱ１，Ｑ２に全く流れないので、トランジスタＱ３にはベース電位が印加されない。この結果、トランジスタＱ３のコレクタ（スタンバイ端子）電位は、電源電圧Ｖｃｃとなり、Ｈｉｇｈ出力となる。スタンバイ端子ＳＴがＨｉｇｈレベルとなると、スピーカアンプＩＣ２が動作し、スピーカ３から音が出力される。すなわち、スピーカアンプＩＣ２は、スタンバイ端子ＳＴがＨｉｇｈレベルで動作、Ｌｏｗレベルでパワーセーブとなる。
【０００４】
反対に、「スピーカアンプパワーセーブ」という通信信号Ｓが供給されると、オーディオ信号処理ＩＣ１では、その通信信号Ｓを受けて電流Ｉ１が全く流れなくなり（条件：電流Ｉ１＝０）、定電流Ｉ２が、トランジスタＱ１のコレクタ、Ｑ２のベースに流れる。これにより、トランジスタＱ３にベース電位が印加され、トランジスタＱ３のコレクタ電流と抵抗Ｒ４の電圧降下でスタンバイ端子ＳＴは、ほぼＧＮＤ電位（Ｌｏｗ）となる。スピーカアンプＩＣ２は、スタンバイ端子がＬｏｗレベルとなると、パワーセーブ状態となり、スピーカ３から音が出力されない。
【０００５】
上述した動作をまとめると、図４に示すようになる。すなわち、通信信号Ｓが「スピーカアンプ動作」の場合には、オーディオ信号処理ＩＣ１がＨｉｇｈ出力となることにより、スピーカアンプＩＣ２が動作し、スピーカ３から音が出力される。一方、通信信号Ｓが「スピーカアンプパワーセーブ」の場合には、オーディオ信号処理ＩＣ１がＬｏｗ出力となることにより、スピーカアンプＩＣ２がパワーセーブ状態となり、スピーカ３から音が出力されない。
【０００６】
【発明が解決しようとする課題】
ところで、上述したように、オーディオ信号処理ＩＣ１およびスピーカアンプＩＣ２間で通信制御を行っている場合、各ＩＣの過渡応答の違い等により、通信制御誤動作によるボツ音が発生していた。図３に示す回路構成の場合には、カムコーダの電源を切るとき、スピーカ３から「ボチッ」というボツ音が発生する。カムコーダは、電源オフ時、スピーカアンプＩＣ２をパワーセーブしてオフ状態とするが、従来のオーディオ信号処理ＩＣ１とスピーカアンプＩＣ２のインターフェース回路においては、スタンバイ端子ＳＴがＬｏｗレベルを維持した状態で、回路が非動作にならないといけない。
【０００７】
しかしながら、図５に示すように、電源オフ時、スタンバイ端子ＳＴはＨｉｇｈレベルとなるので、スピーカアンプＩＣ２が動作状態となってしまい、ボツ音発生の原因となる。すなわち、スタンバイ端子ＳＴを制御するオーディオ信号処理ＩＣ２の出力は、図３に示すように、プルアップ抵抗Ｒ４でＨｉｇｈ／Ｌｏｗ制御されているため、電源オフ時は、スタンバイ端子ＳＴが電源電圧ＶｃｃにプルアップされてＨｉｇｈレベルとなり、ボツ音が発生していた。このように、従来のオーディオ信号処理回路においては、電源オン／オフ等の過渡応答時にノイズによるボツ音が発生し、非常に耳障りになるという問題があった。
【０００８】
そこで本発明は、電源オフ時におけるボツ音の発生を防止することができるオーディオ信号処理回路を提供することを目的とする。
【０００９】
【課題を解決するための手段】
上記目的達成のため、請求項１記載の発明によるオーディオ信号処理回路は、スタンバイ端子の電位に基づいて、オーディオ信号を最終出力するスピーカ増幅回路の動作／非動作を制御するオーディオ信号処理回路において、エミッタが接地され、コレクタが前記スタンバイ端子に接続されたトランジスタと、前記スタンバイ端子に接続され、電源オフ時に、前記スタンバイ端子をハイインピーダンスとする第１のノイズ除去手段と、前記スタンバイ端子に接続され、前記第１のノイズ除去手段によりハイインピーダンスとした前記スタンバイ端子を強制的に接地電位とする第２のノイズ除去手段とを具備し、前記第１のノイズ除去手段は、電源オフ時の過渡応答時に、他の内部素子と同じタイミングでオフ状態となる電流源であり、前記第２のノイズ除去手段は、コレクタが第１抵抗を介して前記スタンバイ端子に接続され、エミッタが接地されている第１トランジスタと、コレクタが第２抵抗により電源電圧にプルアップされて第１トランジスタのベースに接続され、エミッタが接地されている第２トランジスタと、電源電圧−接地電圧間に直列接続された第３抵抗、ダイオード及び第４抵抗とを備え、前記ダイオードと第４抵抗との間に第２トランジスタのベースが接続されており、電源オン時には、前記スタンバイ端子に対してハイインピーダンスとなり、電源オフ時の過渡応答時に、他の内部素子がオフ状態となるタイミングと異なるタイミングで第１トランジスタをオン状態するものである。
【００１４】
この発明では、第１のノイズ除去手段は、電源オフ時に、前記スタンバイ端子をハイインピーダンスとし、第２のノイズ除去手段は、前記第１のノイズ除去手段によりハイインピーダンスとした前記スタンバイ端子を強制的に接地電位とする。したがって、電源オフ時にスタンバイ端子がハイレベルにならず、電源オフ時におけるボツ音の発生を防止することが可能となる。
【００１５】
【発明の実施の形態】
以下、本発明の実施の形態を、図面を参照して説明する。
Ａ．実施形態
図１は、本発明の実施形態の略構成を示す回路図である。なお、図２に対応する部分には同一の符号を付けて説明を省略する。オーディオ信号処理ＩＣ４は、図２に示す従来のオーディオ信号処理ＩＣ１に相当する。従来と異なる点は、本実施形態によるオーディオ信号処理ＩＣ４では、図２に示す従来のオーディオ信号処理ＩＣ１におけるプルアップ抵抗Ｒ４を、定電流Ｉ３からなるノイズ除去回路５に置き換えることにより、電源オフ時にスタンバイ端子ＳＴが電源電圧Ｖｃｃにプルアップされるのを防止するようになっている。該定電流Ｉ３は、電源電圧Ｖｃｃのオン／オフ時等の過渡応答時に、内部回路と同じタイミングで動作、非動作する電流源である。定電流Ｉ３を設けることにより、スタンバイ端子ＳＴがＨｉｇｈインピーダンスとなり、電位が決まらなくなる。しかしながら、上記定電流Ｉ３だけであると、電源オフとした瞬間、定電流Ｉ３がオフする前に、トランジスタＱ３がオフ状態となるので、定電流Ｉ３は、スピーカアンプＩＣ２のトランジスタＱ４のベースに流れ、トランジスタＱ４に電圧Ｖｆが生じる。この結果、図５に示すように、従来技術と同様にスタンバイ端子ＳＴがＨｉｇｈレベルとなり、ボツ音が発生してしまう。
【００１６】
そこで、本実施形態では、上記定電流Ｉ３への置き換えに加えて、ノイズ除去回路６を設けている。ノイズ除去回路６は、コレクタが抵抗Ｒ６を介してスタンバイ端子ＳＴに接続され、エミッタが接地されているトランジスタＱ５、コレクタが抵抗Ｒ７により電源電圧Ｖｃｃにプルアップされ、エミッタが接地されているトランジスタＱ６、および電源−接地間に直列接続された抵抗Ｒ８、ダイオードＤ１、抵抗Ｒ９から構成されている。上記トランジスタＱ５のベースは、トランジスタＱ６のコレクタに接続されている。該トランジスタＱ６のベースは、ダイオードＤ１と抵抗Ｒ９との間に接続されている。ノイズ除去回路６においては、図４に示す抵抗Ｒ９の抵抗値を変えることにより、トランジスタＱ５がオン状態になるタイミングを容易に変更することができる。言い換えると、電源電圧Ｖｃｃのオン／オフ時等の過渡応答時に、内部回路が非動作となるタイミングと異なるタイミングで動作するように、ノイズ除去回路６における抵抗Ｒ９の抵抗値を設定する。
【００１７】
ノイズ除去回路６は、通常、電源がオン状態のときには、トランジスタＱ６のベース電位には電圧Ｖｆが生じているので、トランジスタＱ６のコレクタ電流と抵抗Ｒ７の電圧降下で、トランジスタＱ６のコレクタ電位は、ほぼＧＮＤ電位となり、トランジスタＱ５はオン状態とならない。このため、トランジスタＱ５のコレクタは、オープンとなり、オーディオ信号処理ＩＣ１とスピーカアンプＩＣ２との通信制御のやり取りには影響を及ぼさない。これに対して、電源オフ時は、トランジスタＱ６がオフ状態となる。すなわち、電流Ｉ４は、電源電圧ＶｃｃからトランジスタＱ６とダイオードＤ１の２Ｖｆを引いた電圧を抵抗Ｒ８で除算した値となるため、電源電圧Ｖｃｃがオフになると、電流Ｉ４が小さくなり、トランジスタＱ６に電圧Ｖｆが生じなくなる。このため、トランジスタＱ５に電圧Ｖｆが生じ、トランジスタＱ５がオン状態になる。
【００１８】
このように、定電流Ｉ３だけの場合には、電源オフした瞬間、スタンバイ端子ＳＴがＨｉｇｈレベルとなるのが、ノイズ除去回路６を設けることで、強制的にスタンバイ端子ＳＴをＬｏｗレベルに低下させることが可能となる。ゆえに、電源オフ時にスタンバイ端子ＳＴがＨｉｇｈ状態になることはなくなり、スピーカアンプＩＣ２では、パワーセーブ状態が維持され、ボツ音を発生することはない。
【００１９】
Ｂ．応用例
電源電圧Ｖｃｃがオフするとき、内部回路も電源電圧Ｖｃｃに追従してオフ状態となるので、ＢＵＦ出力ＰＩＮ時は、ノイズを出力してオフ状態となる。電源オフ時のノイズが気になる場合には、上述したノイズ除去回路６を用いて出力ＢＵＦの電流源をオフ状態にすると、電源電圧Ｖｃｃがオフ状態になった瞬間、出力ＢＵＦをオフ状態にすることができるので、ノイズが発生しない。
【００２０】
このように、上述した実施形態によれば、電源オフ時に強制的にスタンバイ端子ＳＴをＬｏｗレベルとし、通常動作時は、オープンコレクタ（ハイインピーダンス）としたので、他の回路に影響を及ぼすことなく、簡単な回路構成で、電源オフ時のボツ音の発生を防止することができる。
【００２１】
【発明の効果】
請求項１記載の発明によれば、電源オフ時に、第１のノイズ除去手段により、前記スタンバイ端子をハイインピーダンスとし、第２のノイズ除去手段により、前記第１のノイズ除去手段によりハイインピーダンスとした前記スタンバイ端子を強制的に接地電位とするようにしたので、電源オフ時にスタンバイ端子がハイレベルにならず、電源オフ時におけるボツ音の発生を防止することができるという利点が得られる。
【００２２】
また、前記第１のノイズ除去手段を、エミッタが接地され、コレクタの電位を前記スタンバイ端子の電位とするトランジスタのコレクタ側に挿入された電流源としたので、簡単な回路構成で、電源オフ時にスタンバイ端子がハイレベルにならず、電源オフ時におけるボツ音の発生を防止することができるという利点が得られる。
【００２３】
また、前記第２のノイズ除去手段が、電源オン時には、前記スタンバイ端子に対してハイインピーダンスとなるようにしたので、通常動作時は、他の回路に影響を及ぼすことなく、電源オフ時におけるボツ音の発生を防止することができるという利点が得られる。
【００２４】
また、前記第１のノイズ除去手段を、電源オフ時の過渡応答時に、他の内部素子と同じタイミングでオフ状態となる電流源としたので、簡単な回路構成で、電源オフ時にスタンバイ端子がハイレベルにならず、電源オフ時におけるボツ音の発生を防止することができるという利点が得られる。
【００２５】
また、前記第２のノイズ除去手段を、電源オフ時の過渡応答時に、他の内部素子がオフ状態となるタイミングと異なるタイミングで第１トランジスタをオン状態にするようにしたので、簡単な回路構成で、電源オフ時にスタンバイ端子がハイレベルにならず、電源オフ時におけるボツ音の発生を防止することができるという利点が得られる。
【図面の簡単な説明】
【図１】本発明の実施形態の略構成を示す回路図である。
【図２】カムコーダにおけるオーディオ処理回路の略構成を示すブロック図である。
【図３】従来のオーディオ信号処理ＩＣとスピーカアンプＩＣとにおいて、通信信号Ｓを送受信するインターフェース部の略構成を示す回路図である。
【図４】オーディオ処理回路の動作を説明するための図である。
【図５】従来のオーディオ処理回路におけるノイズ発生の原因を説明するための概念図である。
【符号の説明】
１……オーディオ信号処理ＩＣ、２……スピーカアンプＩＣ（スピーカ増幅回路）、３……スピーカ、４……オーディオ信号処理ＩＣ、５……ノイズ除去回路（第１のノイズ除去手段、電流源）、６……ノイズ除去回路（第２のノイズ除去手段）
【図１】
0004465787.tif 000002
【図２】
0004465787.tif 000003
【図３】
0004465787.tif 000004
【図４】
0004465787.tif 000005
【図５】
0004465787.tif 000006